(57)【特許請求の範囲】
【請求項１】
羽毛貯溜容器内の空気を吸引することで貯溜容器内に、羽毛製品に充填されている羽毛を取り込み、容器内に羽毛攪拌流を生じさせる空気噴射を行って容器内の空気圧を高めて撹拌状態の羽毛を放出したり、羽毛撹拌用空気噴射を行い乍ら、容器の羽毛放出口に向けて羽毛搬送空気流を吹き込んで、貯溜容器内の羽毛を放出することで充填対象物への羽毛充填を行う羽毛の吸引充填方法に於いて、容器内で攪拌状態の羽毛の放出流の途中に、フィルターに対して放出流を傾斜衝突させ、フィルターで放出流の方向を変えて羽毛充填を行うことを特徴とする羽毛の吸引充填方法。
【請求項２】
エアポンプ部と、羽毛貯溜容器と、容器上部に連結した羽毛出入管部と、羽毛出入管部の容器側口に対面して容器内に突出させた突出管及び前記突出管と前記エアポンプ部とを接続する空気管とからなり、前記突出管の羽毛出入管と対面する開口端をフィルターで塞ぎ、外周面に開口端方向に傾斜した微小孔を穿設し、空気管に高圧空気供給と吸引排気の切り替え機構を有せしめた給排気管部とを備えてなる羽毛吸引充填機構と、前記羽毛吸引充填機構部の羽毛出入管部と接続される箱体と、前記接続部に対して斜めに対面して箱体内を仕切るフィルター部と、フィルター部に衝突して流れを変えた空気流が放出される箇所に設けた放出口と、放出口に接続された充填管とを備えたフィルター機構部とで構成したことを特徴とする羽毛吸引充填装置。
【発明の詳細な説明】
【０００１】
【産業上の利用分野】
本発明は、羽毛の吸引充填方法及びその装置に係り、羽毛製品の製造補修のために既存羽毛製品から羽毛を取り出し、これを再利用する方法並び装置に関するものである。
【０００２】
【従来の技術】
羽毛布団等の羽毛を充填材として使用した物品は、羽毛の経年変化によって布団等の内部の羽毛（ダウン）が劣化した場合に、当該羽毛布団等をバラバラとし、羽毛を再使用可能な物と廃棄する物とをより分けて、再使用可能な羽毛を以て再度羽毛布団等を製造するものである。前記羽毛再使用処理は、充填されている羽毛の取り出しに際しては、当該物品の充填羽毛を全て一旦取り出すもので、それらの作業は、全て工場内で行われることになる。
【０００３】
また再利用される羽毛や、新鮮な羽毛による布団皮や枕等へのダウン充填を行う機械は、通常羽毛布団等を製造する工場で使用されているが、それらの機械は所謂大型機械である。そして衣服などへの充填のための小型のダウン充填装置は、実公昭６３−３８８７８号公報に示されているように、回転ファンで、羽毛と送出空気を共に送り出して、布団や枕、衣服などの所定部位に、羽毛を充填する装置や、特開平９−１４０９５９号公報に示されているように、羽毛の攪拌部材で所定の搬送部分に溜め、エア噴射で充填対象箇所への充填を行っている。
【０００４】
【発明が解決しようとする課題】
ところで例えば羽毛布団では、首に当たる部分に対応する部位のみが羽毛の劣化（ちぎれる等）が早く、その他の部分の充填羽毛並びに布団皮は充分に使用に耐え得る場合がある。しかし前記のとおり羽毛布団の打ち直しの場合には、布団等を全て一端バラバラにして行うことになり、明らかに非効率的であり、省資源化に反する。而も当該再処理工場まで輸送並びに製品或いは再利用羽毛の搬出など非合理的である。
【０００５】
そこで本発明は、充填羽毛の吸引と充填を同一箇所で実施できること、並びに特定部位の充填羽毛の吸引充填を行う手段を提案して、前記の課題解決を図ったものである。
【０００６】
更に従来の小型羽毛充填装置は、充填時に回転ファンや攪拌部材で直接充填すべき羽毛に接触し、せっかくの羽毛を痛めてしまうことになる。そこで羽毛への非接触による充填ができる充填手段を採用したものである。
【０００７】
【課題を解決する手段】
本発明に係る羽毛充填吸引方法は、羽毛貯溜容器内の空気を吸引することで貯溜容器内に、羽毛製品から充填されている羽毛を取り込み、その後に収納した羽毛を放出して羽毛製品への羽毛充填を行うものであり、特に前記の羽毛充填に際して、フィルターに対して放出流を傾斜衝突させ、フィルターで放出流の方向を変えてから羽毛充填を行うことを特徴としたものである。
【０００８】
従って羽毛製品の一部又は全部から充填されている羽毛を吸引して、一旦貯溜容器に取り込み、その侭収納羽毛の放出を行って他の羽毛製品に供給したり、放出時にフィルターに衝突させて、ちぎれた羽毛はフィルターを通過させて排除し、残余の良好な羽毛は、再度羽毛を取り出した羽毛製品に戻したり、別の羽毛製品に充填したりする。
【０００９】
前記方法を実現する本発明に係る羽毛吸引充填装置は、羽毛吸引充填機構部と、フィルター機構部とで構成され、羽毛吸引充填機構部は、エアポンプ部と、羽毛貯溜容器と、容器上部に連結した羽毛出入管部と、羽毛出入管部の容器側口に対面して容器内に突出させた突出管及び前記突出管と前記エアポンプ部とを接続する空気管とからなり、前記突出管の羽毛出入管と対面する開口端をフィルターで塞ぎ、外周面に開口端方向に傾斜した微小孔を穿設し、空気管に高圧空気供給と吸引排気の切り替え機構を有せしめた給排気管部とを備えてなり、フィルター機構部は、前記の羽毛吸引充填機構部の羽毛出入管部と接続される箱体と、前記接続部に対して斜めに対面して箱体内を仕切るフィルター部と、フィルター部に衝突して流れを変えた空気流が放出される箇所に設けた放出部と、放出部に接続された充填管とを備えてなることを特徴とするものである。
【００１０】
而してエアポンプ部を動作させて、容器部内を低圧すると、通常の吸引装置と同様に羽毛出入管部から、空気と共に物体も吸引できる。従って羽毛製品からは、充填された羽毛が吸引でき、羽毛は貯溜容器内に導入される。貯溜容器内に吸引導入された羽毛は、羽毛自体が細かい繊維の集合体であり、所謂スカスカの状態であるから、羽毛でフィルターや微小孔を密閉することがなく、自然に容器部内下方に沈下滞留し、所定の羽毛吸引作業を実施する。
【００１１】
容器内に収納貯溜された羽毛は、当該羽毛製品の補修や他の羽毛製品製造のため充填羽毛として再使用されるもので、エアポンプ部と空気管との接続を切り替え、貯溜容器内に高圧空気を噴射すると、突出管外周からの噴射空気で貯溜容器内の羽毛を撹拌し、開口端から出入管への空気流に羽毛を巻き込んで羽毛出入管部より羽毛を放出する。
【００１２】
そして前記出入管からの放出された羽毛は、フィルター機構部に送られ、羽毛放出流がフィルターに衝突し、ちぎれた羽毛はフィルターを通過して排除され、排除されなかった良好な羽毛は、放出流に乗って放出され、元の羽毛製品に戻したり、別の羽毛製品に充填される。
【００１３】
【実施の形態】
次に本発明の実施形態について説明する。実施形態装置は、吸引充填を行うための羽毛吸引充填機構部Ａとフィルター機構部Ｂで構成される。
【００１４】
羽毛吸引充填機構部Ａは、エアポンプ部１と、羽毛の貯溜容器２と、羽毛出入管３と、給排気管部４からなり、フィルター機構部Ｂは、分別箱５と充填管６からなる。
【００１５】
エアポンプ部１は、空気吸引を行い乍ら高圧排出を行う通常のブロワー構造で、貯溜容器２の下方に配置する。貯溜容器２は縦長容器で、上部適宜箇所に羽毛供給用並びに雑去物取出用を兼ねる密閉蓋２１を設けて、上方部分に羽毛出入管３と接続してなる。
【００１６】
羽毛出入管３は、容器２内に開口した容器側口３１と、前記容器側口３１と接続して適宜な可撓性を備えた管本体３２と、適宜な嘴状の吸引放出口を備えた先部管３３からなる。
【００１７】
給排気管部４は、容器２内に突出状態で設けた突出管４１と、突出管４１とエアポンプ部１と接続する空気管４２からなり、突出管４１は、その先端を羽毛出入管３の容器側口３１に向けてなり、開口端はフィルター４３で塞ぎ、更に外周面の上下には、前記開口端方向に傾斜した微小孔４４を縦列状態で複数穿設してなる。また空気管４２は、エアポンプ部１と連結接続するものであるが、エアポンプ部１の吸引口１１又は噴射口１２の何れかと選択して連結接続するようにしてなる。勿論予め両者と接続し、切り替え弁を介装しても良い。
【００１８】
フィルター装置Ｂの分別箱５は、箱本体５１内にフィルター部５２を設けると共に、接続部５３及び放出部５４を設けてなる。接続部５３は羽毛出入管３の管本体３２或は先部管３３が簡単に着脱して接続できるようにしたものであり、フィルター部５２は、前記接続部５３に対面し、且つ上部が後退した傾斜面としてなり、フィルター機能は、再利用できない羽毛の大きさを基準として定められる。またフィルター部５２の背後の分別箱５には、排出密閉扉５５を設けてなる。放出部５４は、フィルター部５２の上部位置に設けたもので、充填管６を連結接続してなる。
【００１９】
次に前記装置を使用しての羽毛再利用について説明する。再利用対象の羽毛製品（羽毛布団）Ｃから羽毛Ｄを吸引するもので、空気管４２をエアポンプ部１の吸引口１１と接続して、エアポンプ部１を動作させる。そうするとエアポンプ部１の動作によって容器２内が低圧状態となり、羽毛出入管３の先部管３３から吸引空気ａと共に、羽毛製品Ｃの羽毛Ｄを吸引する。
【００２０】
吸引された羽毛Ｄは貯溜容器２内に導入されると、羽毛Ｄ自体が細かい繊維の集合体であるので、羽毛Ｄはフィルター４３や微小孔４４を閉塞することがなく、自然に容器２内下方に沈下滞留することになる。そして羽毛製品Ｃから羽毛Ｄを吸引することで、羽毛吸引作業を終了する。
【００２１】
次に吸引された羽毛Ｄは、新規の羽毛製品Ｅに充填することで再使用されるもので、羽毛充填時は、空気管４２を、エアポンプ部１の噴射口１２と連結接続する。更に羽毛出入管３をフィルター機構部Ｂの接続部５３に接続し、フィルター機構部Ｂの充填管６の先部を新規羽毛製品Ｅに差し入れる。
【００２２】
而してエアポンプ部１を動作させると、貯溜容器２内に突出管４１の開口端（フィルター４３）から容器側口３１に向けての空気噴射（搬送流）ｂと、微小孔４４からの空気噴射ｃがなされる。特に微小孔４４からの空気噴射ｃは、微小孔４４が斜め方向に形成されているので、そのまま容器２内の撹拌流となり、容器２内に貯溜されている羽毛Ｄを撹拌状態とする。突出管４１の開口端からの噴射流ｂは、そのまま容器側口３１に流れ込むので、撹拌状態の羽毛Ｄを巻き込んで羽毛出入管３に羽毛を送り込む。
【００２３】
羽毛出入管３に送り出された羽毛Ｄは、フィルター機構部Ｂに送られる。そしてフィルター機構部Ｂでは接続部５３に対してフィルター部５２が傾斜状態で対面しているので、羽毛Ｄの搬送流はフィルター部５２の傾斜面に添って流れると共に、フィルター部５２の目より小さい不良羽毛ｄは、フィルター部５２裏面の貯溜空間ｅに滞留する。不良羽毛ｄを除いた羽毛Ｄの搬送流は、箱本体５１から放出口５４へ流れ込み、充填管６から新規羽毛製品Ｅに充填されるものである。
【００２４】
尚充填すべき羽毛が少ない際には、容器２や分別箱５から追加すれば良い。また吸引時に羽毛Ｄと一緒に吸引された雑去物や不良羽毛ｄは、作業終了後に密閉蓋２１及び排出密閉扉５５から廃棄する。
【００２５】
尚前記実施形態の使用説明は、羽毛の吸引充填対象を、旧羽毛製品（廃棄する商品）Ｃから新規の羽毛製品Ｅとして、所謂打ち直し（布団皮の交換）としているが、旧羽毛製品の一部のみから羽毛を吸引し、不良羽毛の排除、新羽毛の補充を行って再度充填する羽毛製品の補修にも使用できるものである。
【００２６】
また前記の実施形態で示した吸引充填機構部Ａは、そのまま単独で羽毛充填装置として使用できるものである。即ち、新規羽毛を密閉蓋２１から供給し、空気管４２をエアポンプ部１の噴射口１２に接続して突出管４１を充填装置の噴射部とし、羽毛出入管３を充填装置の羽毛放出管部とする。
【００２７】
そして新規羽毛を密閉蓋２１から供給し、噴射部（突出管４１）から高圧空気を噴射すると、羽毛放出管（羽毛出入管３の容器側口３１）に向けての搬送流噴射と、容器２内の撹拌噴射がなされ、容器２内に供給された羽毛は撹拌状態となりながら、前記搬送流に巻き込まれて、羽毛放出管（羽毛出入管３）を通って、羽毛が羽毛製品へ充填供給されることになる。
【００２８】
【発明の効果】
また本発明の羽毛吸引充填手段は、既存の羽毛製品からその充填されている羽毛を貯溜容器内に吸引して取り込み、そして取り込んだ羽毛はその侭或はフィルターを介して不良羽毛を除去して、再度羽毛製品への羽毛充填を行うものであり、工場作業等を必要とせずに、簡単に羽毛製品からの羽毛再利用が可能となったものである。
【図面の簡単な説明】
【図１】本発明の実施形態の作業説明図。
【図２】同吸引充填装置の構造説明図。
【図３】同吸引動作の説明図。
【図４】同充填動作の説明図。
【図５】同フィルター装置の構造動作説明図。
【符号の説明】
Ａ      羽毛吸引充填機構部
１      エアポンプ部
１１    吸引口
１２    噴射口
２      貯溜容器
２１    開閉密閉蓋
３      羽毛出入管
３１    容器側口
３２    管本体
３３    先部管
４      給排気管部
４１    突出管
４２    空気管
４３    フィルター
４４    微小孔
Ｂ      フィルター機構部
５      分別箱
５１    箱本体
５２    フィルター部
５３    接続部
５４    放出口
５５    排出密閉扉
６      充填管
【図１】
0003590309.tif 000002
【図２】
0003590309.tif 000003
【図３】
0003590309.tif 000004
【図４】
0003590309.tif 000005
【図５】
0003590309.tif 000006